(57)【要約】【課題】撮像された画像に含まれる顔と、予め登録されている登録画像に含まれる顔との類似度によって、撮像された画像に含まれる顔が、すでに登録されている顔か否かを照合するシステムにおける照合精度を向上させる。【解決手段】画像登録装置は、顔を含む入力画像を入力する画像入力部と、顔を含む登録画像を格納している登録画像格納部から、入力画像に含まれる顔に類似する顔を含む登録画像を抽出する登録画像抽出部と、抽出された登録画像に含まれる顔の顔らしさを示す顔信頼度と、入力画像に含まれる顔の顔らしさを示す顔信頼度とを取得する顔信頼度取得部と、入力画像の顔信頼度が登録画像の顔信頼度に基づいて定められる第１基準顔信頼度以上である場合、登録画像の代わりに入力画像を新たな登録画像として登録画像格納部に格納する登録画像更新部とを備える。【選択図】図５
2015176207.tif 000002
【特許請求の範囲】
【請求項１】
顔を含む入力画像を入力する画像入力部と、
顔を含む登録画像を格納している登録画像格納部から、前記入力画像に含まれる顔に類似する顔を含む登録画像を抽出する登録画像抽出部と、
抽出された登録画像に含まれる顔の顔らしさを示す顔信頼度と、前記入力画像に含まれる顔の顔らしさを示す顔信頼度とを取得する顔信頼度取得部と、
前記入力画像の顔信頼度が前記登録画像の顔信頼度に基づいて定められる第１基準顔信頼度以上である場合、前記登録画像の代わりに前記入力画像を新たな登録画像として前記登録画像格納部に格納する登録画像更新部と
を備える画像登録装置。
【請求項２】
前記第１基準顔信頼度は、前記登録画像の顔信頼度より低い信頼度である、請求項１に記載の画像登録装置。
【請求項３】
前記顔信頼度は、前記登録画像または前記入力画像に含まれる顔が顔らしいほど高い値を示し、
前記登録画像更新部は、前記入力画像の顔信頼度から前記登録画像の顔信頼度を減算した値が、第１閾値以上である場合、前記入力画像の顔信頼度が前記登録画像の顔信頼度に基づいて定められる第１基準顔信頼度以上であるとして、前記登録画像の代わりに前記入力画像を新たな登録画像として前記登録画像格納部に登録する、請求項１または請求項２に記載の画像登録装置。
【請求項４】
前記入力画像の顔信頼度が前記登録画像の顔信頼度に基づいて定められる第１基準顔信頼度より小さい場合、前記登録画像の代わりに前記入力画像を新たな登録画像として前記登録画像格納部に登録するか否かを問い合わせる問合わせ部をさらに備え、
前記登録画像の代わりに前記入力画像を新たな登録画像として前記登録画像格納部に登録する旨の回答を得た場合、前記登録画像更新部は、前記登録画像の代わりに前記入力画像を新たな登録画像として前記登録画像格納部に登録する、請求項１から請求項３のいずれか１つに記載の画像登録装置。
【請求項５】
前記画像入力部は、遊技台側から遊技者の顔を撮像する撮像部が前記遊技台で遊技している遊技者の顔を撮像する毎に得られる画像を前記入力画像として入力する、請求項１から請求項４のいずれか１つに記載の画像登録装置。
【請求項６】
前記登録画像の代わりに前記入力画像が新たな登録画像として前記登録画像格納部に登録されなかった場合、前記入力画像を更新待ち入力画像として更新待ち入力画像格納部に登録する更新待ち入力画像登録部をさらに備え、
前記画像入力部は、前記更新待ち入力画像格納部に登録された前記登録画像に対応する更新待ち入力画像が基準数に達した場合に、前記撮像部が前記遊技台で遊技している遊技者の顔を撮像することで得られる画像を新たな入力画像として順次入力し、
前記顔信頼度取得部は、前記新たな入力画像の顔信頼度を取得し、
前記登録画像更新部は、前記新たな入力画像の顔信頼度が、前記更新待ち入力画像登録部に登録された前記登録画像に対応する更新待ち入力画像のうち前記登録画像の顔信頼度との差が最も小さい更新待ち入力画像の信頼度に基づいて定められる第２基準顔信頼度以上である場合、前記登録画像の代わりに前記新たな入力画像を新たな登録画像として前記登録画像格納部に登録する、請求項５に記載の画像登録装置。
【請求項７】
前記登録画像更新部は、前記画像入力部が前記新たな入力画像を入力する毎に前記第２基準顔信頼度を低い値に変更する、請求項６に記載の画像登録装置。
【請求項８】
遊技者が前記遊技台での遊技を終了するまでに前記登録画像の代わりに前記新たな入力画像が新たな登録画像として前記登録画像格納部に登録されなかった場合、前記登録画像更新部は、前記登録画像の代わりに前記最も小さい更新待ち入力画像を新たな登録画像として前記登録画像格納部に登録する、請求項６または請求項７に記載の画像登録装置。
【請求項９】
請求項１から請求項８のいずれか１つに記載の画像登録装置としてコンピュータを機能させるためのプログラム。
【発明の詳細な説明】
【技術分野】
【０００１】
本発明は、画像登録装置およびプログラムに関する。
【背景技術】
【０００２】
特許文献１には、不審者特徴に類似する特徴を有する不審者が監視データベースに保存した監視画像中に含まれているか否かを判定する監視制御装置が開示されている。
【０００３】
特許文献１  特開２０１３−２２２２１６号公報
【発明の概要】
【発明が解決しようとする課題】
【０００４】
上記のような監視制御装置のように、撮像された画像に含まれる顔と、予め登録されている登録画像に含まれる顔との類似度によって、撮像された画像に含まれる顔が、すでに登録されている顔か否かを照合するシステムがある。このようなシステムにおいて、同一人物の顔にも関わらず、人物の容姿の変化などによって、撮像された画像に含まれる現在の顔が、すでに登録されている画像に含まれる過去の顔と類似せずに、同一人物と照合されない場合がある。
【課題を解決するための手段】
【０００５】
本発明の一態様に係る画像登録装置は、顔を含む入力画像を入力する画像入力部と、顔を含む登録画像を格納している登録画像格納部から、入力画像に含まれる顔に類似する顔を含む登録画像を抽出する登録画像抽出部と、抽出された登録画像に含まれる顔の顔らしさを示す顔信頼度と、入力画像に含まれる顔の顔らしさを示す顔信頼度とを取得する顔信頼度取得部と、入力画像の顔信頼度が登録画像の顔信頼度に基づいて定められる第１基準顔信頼度以上である場合、登録画像の代わりに入力画像を新たな登録画像として登録画像格納部に格納する登録画像更新部とを備える。
【０００６】
上記画像登録装置において、第１基準顔信頼度は、登録画像の顔信頼度より低い信頼度でよい。
【０００７】
上記画像登録装置において、顔信頼度は、登録画像または入力画像に含まれる顔が顔らしいほど高い値を示し、登録画像更新部は、入力画像の顔信頼度から登録画像の顔信頼度を減算した値が、第１閾値以上である場合、入力画像の顔信頼度が登録画像の顔信頼度に基づいて定められる第１基準顔信頼度以上であるとして、登録画像の代わりに入力画像を新たな登録画像として登録画像格納部に登録してよい。
【０００８】
上記画像登録装置において、入力画像の顔信頼度が登録画像の顔信頼度に基づいて定められる第１基準顔信頼度より小さい場合、登録画像の代わりに入力画像を新たな登録画像として登録画像格納部に登録するか否かを問い合わせる問合わせ部をさらに備え、登録画像の代わりに入力画像を新たな登録画像として登録画像格納部に登録する旨の回答を得た場合、登録画像更新部は、登録画像の代わりに入力画像を新たな登録画像として登録画像格納部に登録してよい。
【０００９】
上記画像登録装置において、画像入力部は、遊技台側から遊技者の顔を撮像する撮像部が遊技台で遊技している遊技者の顔を撮像する毎に得られる画像を入力画像として入力してよい。
【００１０】
上記画像登録装置は、登録画像の代わりに入力画像が新たな登録画像として登録画像格納部に登録されなかった場合、入力画像を更新待ち入力画像として更新待ち入力画像格納部に登録する更新待ち入力画像登録部をさらに備え、画像入力部は、更新待ち入力画像格納部に登録された登録画像に対応する更新待ち入力画像が基準数に達した場合に、撮像部が遊技台で遊技している遊技者の顔を撮像することで得られる画像を新たな入力画像として順次入力し、顔信頼度取得部は、新たな入力画像の顔信頼度を取得し、登録画像更新部は、新たな入力画像の顔信頼度が、更新待ち入力画像登録部に登録された登録画像に対応する更新待ち入力画像のうち登録画像の顔信頼度との差が最も小さい更新待ち入力画像の信頼度に基づいて定められる第２基準顔信頼度以上である場合、登録画像の代わりに新たな入力画像を新たな登録画像として登録画像格納部に登録してよい。
【００１１】
上記画像登録装置において、登録画像更新部は、画像入力部が新たな入力画像を入力する毎に第２基準顔信頼度を低い値に変更してよい。
【００１２】
上記画像登録装置において、遊技者が遊技台での遊技を終了するまでに登録画像の代わりに新たな入力画像が新たな登録画像として登録画像格納部に登録されなかった場合、登録画像更新部は、登録画像の代わりに最も小さい更新待ち入力画像を新たな登録画像として登録画像格納部に登録してよい。
【００１３】
なお、上記の発明の概要は、本発明の特徴の全てを列挙したものではない。また、これらの特徴群のサブコンビネーションもまた、発明となりうる。
【図面の簡単な説明】
【００１４】
【図１】顧客管理システムの全体構成の一例を示す図である。
【図２】遊技台と撮像部との配置関係の一例を示す図である。
【図３】画像処理部の機能ブロックの一例を示す図である。
【図４Ａ】顔信頼度を領域毎に導出する場合の例について説明するための図である。
【図４Ｂ】顔信頼度を領域毎に導出する場合の例について説明するための図である。
【図５】生体情報管理装置の機能ブロックの一例を示す図である。
【図６】個人顔画像テーブルの一例を示す図である。
【図７】配置情報テーブルの一例を示す図である。
【図８】表示端末に表示される表示画面の一例を示す図である。
【図９】更新待ち入力画像テーブルの一例を示す図である。
【図１０Ａ】リトライ入力画像テーブルの一例を示す図である。
【図１０Ｂ】リトライ入力画像テーブルの一例を示す図である。
【図１１Ａ】登録画像の更新手順の一例を示すフローチャートである。
【図１１Ｂ】登録画像の更新手順の一例を示すフローチャートである。
【図１２】生体情報管理装置のハードウェア構成の一例を示す図である。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１６】
図１は、顧客管理システムの全体構成の一例を示す図である。顧客管理システムは、複数の遊技台１２、複数の撮像部２０、複数の画像処理部３０、複数の表示端末４０、生体情報管理装置１００、媒体貸出管理装置２００、および遊技台管理装置３００を備える。顧客管理システムは、いわゆるパチンコ店、パチスロ店、またはカジノ店などの遊技店に設けられる。
【００１７】
遊技台１２は、パチンコ台、パチスロ台など遊技者が遊技を行う装置である。媒体貸出機１４は、いわゆる台間機であり、遊技者が遊技台１２で遊技する場合に、プリペイドカードなどの有価価値記録媒体、または現金などにより遊技者が指定した度数、金額などを受け付け、受け付けた度数、金額などに応じた数量の玉またはメダルなどの遊技媒体を貸し出す。媒体貸出機１４は、貸し出した遊技媒体の数量の情報を媒体貸出管理装置２００に供給する。媒体貸出管理装置２００は、受け付けた現金またはプリペイドカードの残度数などの情報と共に、貸し出した遊技媒体の数量の情報を管理する。
【００１８】
撮像部２０は、遊技台１２の周囲に設置され、遊技台１２側から遊技台１２で遊技中の遊技者の顔を含む画像を撮像する。画像処理部３０は、撮像部２０により撮像された画像から遊技者の顔を含む画像を抽出する。画像処理部３０は、顔画像に基づいて遊技者の特徴を示す特徴量、顔画像に含まれる顔の顔らしさを示す顔信頼度などを導出する。
【００１９】
生体情報管理装置１００は、遊技店に来店した遊技者の属性情報を管理する。生体情報管理装置１００は、画像処理部３０から提供される遊技者の顔を含む画像、特徴量、および顔信頼度などを関連付けて管理する。
【００２０】
遊技台管理装置３００は、いわゆるホールコンピュータであり、遊技台１２の動作を監視する。遊技台管理装置３００は、遊技台１２の出玉またはメダルの払い出しの情報、遊技台１２のエラー情報などを管理する。
【００２１】
表示端末４０は、遊技店の店員により利用される端末である。表示端末４０は、例えば、複数の遊技台１２を含むいわゆる島単位に配置される。表示端末４０には、例えば、対応する島内の遊技台１２に関するエラーなどの情報が表示される。
【００２２】
図２は、遊技台１２と撮像部２０との配置関係の一例を示す図である。撮像部２０は、例えば、遊技台１２の上部に設けられた台表示ランプ２２に設けられ、遊技台１２側から遊技台１２で遊技を行っている遊技者の顔を撮像する。
【００２３】
図３は、画像処理部３０の機能ブロックの一例を示す図である。画像処理部３０は、画像受信部３１、顔画像抽出部３２、特徴量導出部３４、顔信頼度導出部３５、および画像送信部３６を備える。
【００２４】
画像受信部３１は、撮像部２０により撮像された画像を受信する。顔画像抽出部３２は、画像受信部３１により受信された画像から顔を含む画像を抽出する。顔画像抽出部３２は、受信された画像内から顔を構成する部位の配置などのパターンにより顔を含む画像を抽出する。
【００２５】
特徴量導出部３４は、顔画像抽出部３２により抽出された画像に含まれる顔の特徴量を導出する。特徴量は、人物などの対象物を識別可能な情報であればよく、画像の画素値の情報、または画像に含まれる顔の目、鼻、口の間隔または大きさ、肌の色、髪型などの外見的特徴を数値で示した情報などでよい。
【００２６】
顔信頼度導出部３５は、顔画像抽出部３２により抽出された画像に含まれる顔の顔らしさを示す顔信頼度を導出する。例えば、顔信頼度導出部３５は、画像に含まれる顔から、顔を構成する器官（例えば、目、耳、鼻、口、額、顎、輪郭）を抽出し、抽出された器官の位置情報を導出する。そして、顔信頼度導出部３５は、抽出された器官と、抽出された器官の位置情報とに基づいて、顔を含む画像毎の顔信頼度を導出する。
【００２７】
ここで、顔信頼度は、顔を含む画像毎の照合処理に適する度合いを示すものである。したがって、顔信頼度が高い画像ほど、照合に適した画像である。例えば、顔信頼度は、器官のうち、例えば、目、耳、鼻、口、額、顎、輪郭などの有無により、器官毎に点数を設定した合計となる数値でよい。また、顔信頼度は、左右の目または耳と、鼻または口との距離の比率、あるいは、額および鼻の距離と、顎および鼻の距離との比率などに基づいて導出される数値でよい。
【００２８】
顔信頼度導出部３５は、画像に含まれる顔を複数の領域に分割して、それぞれの領域毎に顔信頼度を部分顔信頼度として導出してよい。例えば、図４Ａまたは図４Ｂに示すように、顔信頼度導出部３５は、画像に含まれる顔を４つの領域４０１，４０２，４０３，４０４に分割して、それぞれの領域４０１，４０２，４０３，４０４毎に顔信頼度を導出し、それぞれの顔信頼度を部分顔信頼度として出力してよい。
【００２９】
図４Ｂに示すように、目または眉毛が髪の毛で隠れているような場合、顔全体の顔信頼度は、図４Ａに示すように、両目および両眉毛が髪の毛で隠れていない場合に比べて、低くなってしまう。しかし、画像としては顔を確実に捉えており、照合に利用できる可能性が高く、新たな登録画像として利用できる。そこで、顔信頼度導出部３５は、画像に含まれる顔を複数の領域に分割して、それぞれの領域毎に顔信頼度を部分顔信頼度として導出してよい。
【００３０】
画像送信部３６は、顔画像抽出部３２により抽出された顔を含む画像を、特徴量導出部３４により導出された特徴量、および顔信頼度導出部３５により導出された顔信頼度とともに、生体情報管理装置１００に送信する。
【００３１】
図５は、生体情報管理装置１００の機能ブロックの一例を示す図である。生体情報管理装置１００は、画像登録装置として機能する。
【００３２】
生体情報管理装置１００は、画像入力部１０２、登録画像抽出部１０４、登録画像格納部１０６、顔信頼度取得部１０８、登録画像更新部１１０、入力画像登録部１１２、入力画像格納部１１４、問合わせ部１１６、および配置情報格納部１１８を備える。
【００３３】
画像入力部１０２は、画像処理部３０から顔を含む入力画像と、入力画像に含まれる顔の特徴量および顔信頼度とを入力する。画像入力部１０２は、遊技台１２側から遊技者の顔を撮像する撮像部２０が遊技台１２で遊技している遊技者の顔を撮像する毎に得られる画像を入力画像として入力してよい。
【００３４】
登録画像抽出部１０４は、顔を含む登録画像を格納している登録画像格納部１０６から、入力画像に含まれる顔に類似する顔を含む登録画像を抽出する。登録画像格納部１０６は、遊技店に過去に来店したことのある遊技者の顔を含む画像を、登録画像として格納してよい。
【００３５】
登録画像抽出部１０４は、入力画像の顔の特徴量と、登録画像格納部１０６に格納されている各登録画像に含まれる各顔の特徴量との類似度を導出し、類似度が基準値以上あり、最も類似度が高い登録画像を、入力画像に含まれる顔に類似する顔を含む登録画像として抽出する。登録画像抽出部１０４は、顔の目と目の間隔、あごから額までの長さと、あごから鼻までの長さの比率などの各種の顔の特徴量に基づいて、入力画像と登録画像との間の差分和、平均比率、または比率和などを類似度として導出してよい。
【００３６】
類似度が、比率和で示される場合、類似度により示される値は、入力画像に含まれる顔が登録画像に含まれる顔に類似するほど高い値を示し、類似度が基準値以上であれば、入力画像に含まれる顔は、登録画像に含まれる顔と一致する可能性が高い。一方、類似度が、差分和で示される場合、類似度が基準値以下であれば、入力画像に含まれる顔は、登録画像に含まれる顔と一致する可能性が高い。また、類似度が、平均比率で示される場合には、類似度は、０から１の範囲で基準値以上であり、１に近い値であれば、入力画像に含まれる顔は、登録画像に含まれる顔と一致する可能性が高い。
【００３７】
顔信頼度取得部１０８は、登録画像抽出部１０４により抽出された登録画像に含まれる顔の顔らしさを示す顔信頼度と、入力画像に含まれる顔の顔らしさを示す顔信頼度とを取得する。顔信頼度取得部１０８は、登録画像格納部１０６を参照することで、登録画像抽出部１０４により抽出された登録画像に関連付けられた登録画像の顔信頼度を取得してよい。また、顔信頼度取得部１０８は、画像入力部１０２により入力画像とともに入力された入力画像の顔信頼度を取得してよい。
【００３８】
顔信頼度取得部１０８は、例えば、図６に示すような個人顔画像テーブルに、画像入力部１０２により入力された入力画像の顔信頼度と、登録画像抽出部１０４により抽出された登録画像の顔信頼度とを、登録してよい。また、顔信頼度取得部１０８は、入力画像の顔信頼度から登録画像の顔信頼度を減算して、顔信頼度差を導出して、入力画像に関連付けて個人顔画像テーブルに登録してよい。
【００３９】
顔信頼度取得部１０８は、登録画像格納部１０６を参照して、登録画像に対して割り当てられている来店者ＩＤを、個人顔画像テーブルに登録してよい。顔信頼度取得部１０８は、登録画像および入力画像が撮像された撮像時間を個人顔画像テーブルに登録してよい。
【００４０】
登録画像更新部１１０は、入力画像の顔信頼度が登録画像の顔信頼度に基づいて定められる第１基準顔信頼度以上である場合、登録画像の代わりに入力画像を新たな登録画像として登録画像格納部１０６に格納する。第１基準顔信頼度は、登録画像の顔信頼度より低い信頼度でよい。つまり、登録画像更新部１１０は、入力画像の顔信頼度が登録画像の顔信頼度よりある程度低い場合でも、登録画像の代わりに入力画像を新たな登録画像として登録画像格納部１０６に格納してよい。これにより、登録画像格納部１０６に格納される登録画像が更新されやすくできる。よって、同一人物の顔にも関わらず、人物の容姿の変化などによって、入力画像に含まれる現在の顔が、すでに登録されている登録画像に含まれる過去の顔と類似せずに、同一人物と判断されにくくできる。
【００４１】
登録画像更新部１１０は、入力画像の顔信頼度から登録画像の顔信頼度を減算した値が、第１閾値以上である場合、入力画像の顔信頼度が登録画像の顔信頼度に基づいて定められる第１基準顔信頼度以上であるとして、登録画像の代わりに入力画像を新たな登録画像として登録画像格納部１０６に登録してよい。
【００４２】
顔信頼度取得部１０８は、登録画像に含まれる顔の一部の顔らしさを示す部分顔信頼度と、入力画像に含まれる顔の一部の顔らしさを示す部分顔信頼度とを登録画像の顔信頼度、および入力画像の顔信頼度として取得してよい。登録画像更新部１１０は、入力画像の部分顔信頼度が、登録画像の部分顔信頼度に基づいて定められる基準部分顔信頼度以上である場合、入力画像の顔信頼度が登録画像の顔信頼度に基づいて定められる第１基準顔信頼度以上であるとして、登録画像の代わりに入力画像を新たな登録画像として登録画像格納部１０６に登録してよい。
【００４３】
また、顔信頼度取得部１０８は、登録画像に含まれる顔を分割した複数の部分のそれぞれの顔らしさを示す複数の部分顔信頼度と、入力画像に含まれる顔を分割した複数の部分のそれぞれの顔らしさを示す複数の部分顔信頼度とを取得してよい。登録画像更新部１１０は、入力画像の複数の部分顔信頼度のうち、登録画像の部分顔信頼度に基づいて定められる基準部分顔信頼度以上である入力画像の部分顔信頼度の数が基準数以上である場合、入力画像の顔信頼度が登録画像の顔信頼度に基づいて定められる第１基準顔信頼度以上であるとして、登録画像の代わりに入力画像を新たな登録画像として登録画像格納部１０６に登録してよい。これにより、入力画像に含まれる顔の一部の顔信頼度が低くても、最新の遊技者の顔を含む入力画像を登録画像として、登録画像格納部１０６に登録することができる。
【００４４】
問合わせ部１１６は、入力画像の顔信頼度が登録画像の顔信頼度に基づいて定められる第１基準顔信頼度より小さい場合、登録画像の代わりに入力画像を新たな登録画像として登録画像格納部１０６に登録するか否かを問い合わせる。問合わせ部１１６は、登録画像の代わりに入力画像を新たな登録画像として登録画像格納部１０６に登録するか否かを表示端末４０に対して問い合わせる。
【００４５】
配置情報格納部１１８は、撮像部２０、遊技台１２、および表示端末４０の配置関係を示す情報を格納する。配置情報格納部１１８は、例えば、図７に示すような配置情報テーブルを格納してよい。配置情報テーブルは、島毎に、島に配置されている遊技台１２の遊技台番号、撮像部２０のカメラＩＤ、および島を管理する表示端末４０の表示端末ＩＤを含む。
【００４６】
問合わせ部１１６は、配置情報格納部１１８を参照して、入力画像を撮像した撮像部２０に対応する表示端末４０の表示端末ＩＤを特定し、特定された表示端末ＩＤの表示端末４０に問い合わせをする。
【００４７】
問合わせ部１１６は、例えば、図８に示すような表示画面を生成して、表示端末４０の表示部に表示させる。問合わせ部１１６は、問い合わせ対象の遊技台の番号５００、入力画像が撮像された撮像時間５０２、対象となる登録画像５０４、および入力画像５０６を示す表示画面を表示端末４０の表示部に表示させる。また、表示画面は、登録画像の代わりに入力画像を新たな登録画像として登録するか否かを店員に選択させる選択ボタンを含む。店員が、「ＹＥＳ」または「Ｎｏ」の選択ボタン５０８を選択することで、表示端末４０から問合わせ部１１６に、問い合わせ結果が通知される。
【００４８】
問合わせ部１１６による問い合わせの結果、登録画像の代わりに入力画像を新たな登録画像として登録画像格納部１０６に登録する旨の回答を表示端末４０を介して店員から得た場合、登録画像更新部１１０は、登録画像の代わりに入力画像を新たな登録画像として登録画像格納部１０６に登録する。
【００４９】
入力画像登録部１１２は、更新待ち入力画像登録部として機能し、登録画像の代わりに入力画像が新たな登録画像として登録画像格納部１０６に登録されなかった場合、入力画像を更新待ち入力画像として入力画像格納部１１４に登録する。入力画像格納部１１４は、更新待ち入力画像格納部として機能し、新たな登録画像として登録画像格納部１０６に登録されていない入力画像を更新待ち入力画像として格納する。入力画像格納部１１４は、例えば、図９に示すような更新待ち入力画像テーブルを格納してよい。更新待ち入力画像テーブルは、更新待ち入力画像、更新待ち入力画像に含まれる顔に対応する来店者ＩＤ、更新待ち入力画像を撮像した撮像部２０のカメラＩＤ、更新待ち入力画像が撮像部２０により撮像された撮像時間、更新待ち入力画像の顔信頼度、登録画像との顔信頼度差を含む。
【００５０】
入力画像格納部１１４に登録された登録画像に対応する更新待ち入力画像が基準数に達した場合に、画像入力部１０２は、撮像部２０が遊技台１２で遊技中の遊技者の顔を撮像することで得られる画像を新たな入力画像として順次入力する。
【００５１】
画像入力部１０２は、遊技台１２に新たな遊技者が現れるまで、入力画像を入力する。そして、登録画像更新部１１０は、遊技台１２に新たな遊技者が現れるまで、登録画像の更新ができるどうかを判断する。入力画像登録部１１２は、入力画像により登録画像の更新ができなかった場合、その入力画像を更新待ち入力画像として入力画像格納部１１４に登録する。更新待ち入力画像が基準数に達した段階で、画像入力部１０２は、対象の遊技者が現在使用している遊技台１２に対応する撮像部２０から、対象の遊技者がその遊技台１２の使用を終了するまでの間に、順次、例えば、５分毎に、撮像部２０が対象の遊技者の顔を撮像することで得られる画像を新たな入力画像として継続的に入力する。
【００５２】
そして、登録画像更新部１１０は、新たな入力画像の顔信頼度が、入力画像格納部１１４に登録された登録画像に対応する更新待ち入力画像のうち登録画像の顔信頼度との差が最も小さい更新待ち入力画像の信頼度に基づいて定められる第２基準顔信頼度以上である場合、登録画像の代わりに新たな入力画像を新たな登録画像として登録画像格納部１０６に登録する。
【００５３】
登録画像更新部１１０は、画像入力部１０２が新たな入力画像を入力する毎に第２基準顔信頼度を低い値に変更してよい。これにより、登録画像をより更新されやすくできる。
【００５４】
遊技者が遊技台１２での遊技を終了するまでに登録画像の代わりに新たな入力画像が新たな登録画像として登録画像格納部１０６に登録されなかった場合、登録画像更新部１１０は、登録画像の代わりに最も小さい更新待ち入力画像を新たな登録画像として登録画像格納部１０６に登録してよい。
【００５５】
顔信頼度取得部１０８は、新たな入力画像が入力される毎に、新たな入力画像の顔信頼度を取得し、登録画像の信頼度との間の顔信頼度差を導出する。顔信頼度取得部１０８は、新たな入力画像を、リトライ入力画像として、入力画像格納部１１４に格納する。入力画像格納部１１４は、例えば、図１０Ａまたは図１０Ｂに示すような、リトライ入力画像テーブルを格納してよい。リトライ入力画像テーブルは、リトライ入力画像、リトライ入力画像に含まれる顔に対応する来店者ＩＤ、リトライ入力画像を撮像した撮像部２０のカメラＩＤ、リトライ入力画像が撮像部２０により撮像された撮像時間、リトライ入力画像の顔信頼度、登録画像の顔信頼度と差が最も小さい顔信頼度を有する更新待ち入力画像との顔信頼度差を含む。
【００５６】
登録画像更新部１１０は、最も小さい顔信頼度を有する更新待ち入力画像との顔信頼度差が第２閾値以上である場合、最も小さい更新待ち入力画像の信頼度に基づいて定められる第２基準顔信頼度以上であるとして、登録画像の代わりに新たな入力画像を新たな登録画像として登録画像格納部１０６に登録してよい。
【００５７】
図１０Ａは、第２閾値が、「３０」の場合に、「１３」番目のリトライ入力画像が、新たな登録画像として、登録される場合の例について示している。一方、図１０Ｂは、顔信頼度差が第２閾値「３０」以上になるリトライ画像が入力される前に、遊技者が遊技台１２での遊技を終了した場合、つまり遊技者が離席した場合の例について示している。
【００５８】
図１１Ａおよび図１１Ｂは、登録画像の更新手順の一例を示すフローチャートである。画像入力部１０２は、顔を含む入力画像を入力する（Ｓ１００）。画像入力部１０２は、例えば、遊技台１２の前に新たな遊技者が着席する毎に、画像処理部３０から送信される顔を含む入力画像を入力する。
【００５９】
登録画像抽出部１０４は、画像入力部１０２により入力された入力画像に含まれる顔と類似する顔を含む登録画像を登録画像格納部１０６から抽出する（Ｓ１０２）。抽出できなければ、更新対象の登録画像がないとして、登録画像の更新処理を終了する。
【００６０】
登録画像が抽出できた場合（Ｓ１０４）、顔信頼度取得部１０８は、個人顔画像テーブルに、抽出された登録画像と入力画像とを登録する（Ｓ１０６）。顔信頼度取得部１０８は、入力画像の顔信頼度と、登録画像の顔信頼度とを取得し、入力画像の顔信頼度から登録画像の顔信頼度を減算し、入力画像の顔信頼度差を導出する（Ｓ１０８）。
【００６１】
登録画像更新部１１０は、導出された顔信頼度差が第１閾値以上、例えば、「−２０」以上か否かを判定する（Ｓ１１０）。顔信頼度差が第１閾値以上であれば、入力画像の顔信頼度が登録画像の顔信頼度に基づいて定められる第１基準顔信頼度以上であると判断して、登録画像の代わりに入力画像を新たな登録画像として登録画像格納部１０６に登録する（Ｓ１１２）。
【００６２】
一方、顔信頼度差が第１閾値より小さい場合には、問合わせ部１１６が、表示端末４０を介して店員に、入力画像で登録画像を更新してよいか否かを問い合わせる（Ｓ１２０）。問い合わせの結果、問合わせ部１１６が店員より表示端末４０を介して登録画像の更新の許可を示す回答を得られた場合（Ｓ１２２）、登録画像更新部１１０は、登録画像の代わりに入力画像を新たな登録画像として登録画像格納部１０６に登録する（Ｓ１２４）。
【００６３】
登録画像の許可を示す回答を得られなかった場合、入力画像登録部１１２は、入力画像を更新待ち入力画像として入力画像格納部１１４に登録する（Ｓ１２６）。
【００６４】
登録画像更新部１１０は、更新待ち入力画像の数が、基準数、例えば、「３」に達したか否かを判断する（Ｓ１２８）。更新待ち入力画像の数が基準数に達していなければ、ステップＳ１００以降の手順を繰り返す。つまり、遊技者が使用する遊技台１２を変更する毎に、ステップＳ１００からステップＳ１２８までの手順を繰り返す。
【００６５】
更新待ち入力画像の数が基準数に達すると、登録画像更新部１１０は、更新待ち入力画像のうち、登録画像との顔信頼度差が最も小さい更新待ち入力画像を特定する（Ｓ１３０）。画像入力部１０２は、画像処理部３０に対して新たな入力画像を要求する（Ｓ１３２）。画像入力部１０２は、遊技者が遊技台１２を離れるまで定期的に画像処理部３０に対して新たな入力画像を要求してよい。
【００６６】
入力画像登録部１１２は、画像入力部１０２が顔を含む新たな入力画像を入力できたか否かを判定する（Ｓ１３４）。入力画像登録部１１２は、新たな入力画像が入力された場合には、その入力画像をリトライ入力画像としてリトライ入力画像テーブルに登録する（Ｓ１３６）。登録画像更新部１１０は、リトライ入力画像の顔信頼度から、登録画像との顔信頼度差が最も小さい更新待ち入力画像の顔信頼度を減算して、顔信頼度差を導出する（Ｓ１３８）。
【００６７】
登録画像更新部１１０は、導出された顔信頼度差が、第２閾値以上か否かを判定する（Ｓ１４０）。顔信頼度差が第２閾値以上であれば、登録画像更新部１１０は、リトライ入力画像を新たな登録画像として登録画像格納部１０６に登録する（Ｓ１４２）。
【００６８】
顔信頼度差が第２閾値より小さければ、ステップＳ１３２以降の処理を繰り返す。そして、画像入力部１０２が新たな入力画像を入力できなかった場合、登録画像更新部１１０は、遊技者が遊技を終了したか否かを判定する（Ｓ１４４）。登録画像更新部１１０は、遊技台管理装置３００から対象の遊技台１２の遊技が終了した否かの情報を取得してもよい。遊技者が遊技を終了していなければ、ステップＳ１３２以降の処理を繰り返す。
【００６９】
遊技者が遊技を終了していれば、登録画像更新部１１０は、登録画像との顔信頼度差が最も小さい更新待ち入力画像を新たな登録画像として登録画像格納部１０６に登録する（Ｓ１４６）。
【００７０】
以上のとおり、本実施形態によれば、登録画像を順次更新できる。登録画像を更新するかどうかを判断する顔信頼度の基準値は、登録画像のそれぞれの顔の顔信頼度に応じて設定される。よって、登録画像の顔信頼度の大きさによって登録画像の更新されやすさにばらつきが生じることを抑制できる。
【００７１】
例えば、人物の顔の特徴によっては、人物の容姿にかかわらず一律に導出される顔信頼度の大きさが、標準的な顔から導出される顔信頼度よりも低い場合もある。このような人物に対して一律に設定された顔信頼度の基準値により登録画像を更新するか否かを判断してしまうと、登録画像の更新がされにくくなる可能性がある。一方、登録画像のそれぞれの顔の顔信頼度に応じて登録画像を更新するかどうかを判断する顔信頼度の基準値を変更することで、特定の人物に対する登録画像の更新がされにくくなることを防止できる。
【００７２】
また、本実施形態によれば、できるだけ顔らしさの高い、照合に適した入力画像が新たな登録画像として登録される。よって、同一人物の顔にも関わらず、人物の容姿の変化などによって、撮像された画像に含まれる現在の顔が、すでに登録されている画像に含まれる過去の顔と類似せずに、同一人物と照合されなくなることを防止できる。
【００７３】
なお、本実施形態に係る生体情報管理装置１００が備える各部は、生体情報管理装置１００における登録画像の更新に関する各種処理を行う、コンピュータ読み取り可能な記録媒体に記録されたプログラムをインストールし、このプログラムをコンピュータに実行させることで、構成してもよい。つまり、コンピュータに生体情報管理装置１００の登録画像の更新に関する各種処理を行うプログラムを実行させることにより、生体情報管理装置１００が備える各部としてコンピュータを機能させることで、生体情報管理装置１００を構成してもよい。
【００７４】
図１２は、本実施形態に係る生体情報管理装置１００のハードウェア構成の一例を示す図である。本実施形態に係る生体情報管理装置１００は、ホストコントローラ９０２により相互に接続されるＣＰＵ９０４、ＲＡＭ９０６を有するＣＰＵ周辺部と、入出力コントローラ９０８によりホストコントローラ９０２に接続されるＲＯＭ９１０、および通信インターフェイス９１２を備える。
【００７５】
ホストコントローラ９０２は、ＲＡＭ９０６と、高い転送レートでＲＡＭ９０６をアクセスするＣＰＵ９０４とを接続する。ＣＰＵ９０４は、ＲＯＭ９１０およびＲＡＭ９０６に格納されたプログラムに基づいて動作して、各部を制御する。入出力コントローラ９０８は、ホストコントローラ９０２と、比較的高速な入出力装置である通信インターフェイス９１２と、ＲＯＭ９１０とを接続する。
【００７６】
通信インターフェイス９１２は、画像処理部３０および表示端末４０などと通信する。ＲＯＭ９１０は、生体情報管理装置１００内のＣＰＵ９０４が使用するプログラムおよびデータを格納する。また、ＲＯＭ９１０は、生体情報管理装置１００が起動時に実行するブート・プログラム、生体情報管理装置１００のハードウェアに依存するプログラム等を格納する。
【００７７】
ＲＡＭ９０６を介してＲＯＭ９１０に提供されるプログラムは、ＣＤ−ＲＯＭ、またはＵＳＢメモリ等のコンピュータが読み取り可能な記録媒体に格納されて利用者によって提供される。プログラムは、記録媒体から読み出され、ＲＡＭ９０６を介して生体情報管理装置１００内のＲＯＭ９１０にインストールされ、ＣＰＵ９０４において実行される。
【００７８】
生体情報管理装置１００にインストールされて実行されるプログラムは、ＣＰＵ９０４等に働きかけて、生体情報管理装置１００を、図１から図１１Ｂにかけて説明した画像入力部１０２、登録画像抽出部１０４、登録画像格納部１０６、顔信頼度取得部１０８、登録画像更新部１１０、入力画像登録部１１２、入力画像格納部１１４、問合わせ部１１６、および配置情報格納部１１８として機能させる。
【００７９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８１】
１２  遊技台
１４  媒体貸出機
２０  撮像部
２２  台表示ランプ
３０  画像処理部
３１  画像受信部
３２  顔画像抽出部
３４  特徴量導出部
３５  顔信頼度導出部
３６  画像送信部
４０  表示端末
１００  生体情報管理装置
１０２  画像入力部
１０４  登録画像抽出部
１０６  登録画像格納部
１０８  顔信頼度取得部
１１０  登録画像更新部
１１２  入力画像登録部
１１４  入力画像格納部
１１６  問合わせ部
１１８  配置情報格納部
２００  媒体貸出管理装置
３００  遊技台管理装置
９０２  ホストコントローラ
９０４  ＣＰＵ
９０６  ＲＡＭ
９０８  入出力コントローラ
９１０  ＲＯＭ
９１２  通信インターフェイス
【図１】
2015176207.tif 000003
【図２】
2015176207.tif 000004
【図３】
2015176207.tif 000005
【図４Ａ】
2015176207.tif 000006
【図４Ｂ】
2015176207.tif 000007
【図５】
2015176207.tif 000008
【図６】
2015176207.tif 000009
【図７】
2015176207.tif 000010
【図８】
2015176207.tif 000011
【図９】
2015176207.tif 000012
【図１０Ａ】
2015176207.tif 000013
【図１０Ｂ】
2015176207.tif 000014
【図１１Ａ】
2015176207.tif 000015
【図１１Ｂ】
2015176207.tif 000016
【図１２】
2015176207.tif 000017